(57)【要約】【課題】ポップアップ形式で折り畳んだ多量のティシュペーパーを使い切るまで、容易に、連続して取り出せるようにするとともに、単一の板紙から折り畳み接着によって容易に作製できるティッシュケース（ティッシュペーパー収納箱）を提供する。【解決手段】前面板(６)を介在して延在する上・下板(２，４)に、それぞれ独立した取り出し口(２ａ，４ａ)を形成し、また、後面板(８，１０)は、前面板(６)を半分した高さでそれぞれ上・下板(２，４)から延在するようにし、下部後面板(１０)からは仕切り板(１２)が延在するようにする。これにより、組立時に仕切り板(１２)によって上下二つの収蔵室(２４，２６)が形成されるようにした。【選択図】図１
2009255945.tif 000002
【特許請求の範囲】
【請求項１】
左右両側に副側板(１８)を持つ前面板(６)と、
前面板(６)の上下縁から延在形成され、かつ、独立した取り出し口(２ａ，４ａ)を有し、左右両縁から側板(１４，１６)がそれぞれ延在する上・下板(２，４)と、
前面板(６)を２等分した高さにまで、それぞれ上・下板(２，４)から延在形成され、それぞれの左右両縁から副側板(２０，２２)が延在する上部及び下部の後面板(８，１０)と、
下部後面板(１０)の上端から前面板(６)にまで延在形成されて、ケース内部を上下二つの収蔵室(２４，２６)に仕切る仕切り板(１２)と、
から構成されることを特徴とするティッシュケース。
【請求項２】
前記上部後面板(８)の下端から、仕切り板(１２)または下部後面板(１０)との接着を行うための接着部(８ａ)が延在し、仕切り板(１２)の前方端から、前面板(６)との接着を行うための接着部(１２ａ)が延在し、
上部後面板(８)の左右の副側板(２０)における先端部の下端、及び、下部後面板(１０)の左右の副側板(２２)における先端部の上端から、支え部(２０ａ，２２ａ)が、それぞれ延在され、仕切り板(１２)に接触することを特徴とする請求項１に記載のティッシュケース。
【発明の詳細な説明】
【技術分野】
【０００１】
本発明は、ティシュペーパーの束を収納するティシュペーパー収納箱（ティッシュケース）に関する。より詳細には、ポップアップ形式で折り畳んだティシュペーパーの束を収納する収蔵室を上下に分離構成することによって、多量のティッシュペーパーを収納できるようにしつつ、収納されたティッシュペーパーを使い切るまで、ティッシュペーパーのポップアップが途中で途切れることなく、連続して容易に取り出すことができるようにしたものである。
【背景技術】
【０００２】
一般に、ティッシュケースは、一つの収蔵室内に、相互に連結性を持つティッシュペーパーを収蔵し、途中切れ無しに取り出して使用できるように構成されるもので、かかるケースには、一定期間使用できるような十分な量のティッシュが収納されなければならない。また、収蔵量が少ない場合には重さが軽くなり、ティッシュの取り出しと同時にケースも全体的に持ち上げられるという使用上の不便さを考慮する必要がある。そのため、収蔵室の高さは、ふんわりとした厚み重視型の場合、例えば約１１ｃｍと高くしてきた。つまり、一つの大きい収蔵室内に多量のティッシュを収蔵してきた。例えば、二枚重ねで一組としたティシュペーパーを１50組300枚〜200組400枚程度収納する。
【０００３】
このように、ケースの収蔵室を高く形成し、多量のティッシュが収蔵されるようにする場合、ティッシュペーパーの長期使用ができ且つ重量感によって容易にティッシュペーパーを取り出せるという利点がある反面、収蔵室の高さが高い分、ティッシュの使用によって残留量が半分以下に減ると、残留しているティッシュペーパーと取り出し口間の距離が増加するため、後続するティッシュペーパーと分離されてティッシュペーパーが取り出されることがあり、後続のティッシュペーパーを取り出すのに多くの不便が生じるという問題があった。
【特許文献１】特開2007-076660
【特許文献２】特開平07-257667
【特許文献３】特開平07-315458
【発明の開示】
【発明が解決しようとする課題】
【０００４】
本発明の目的は、収蔵室を上下二つに分離構成し、収蔵されたティッシュを全部使うまで連続して取り出せるようにしたティッシュケースを提供することにある。
【０００５】
本発明の他の目的は、単一の板紙を使った折り畳み及び接着によって上下二つの収蔵室を持つケースを提供することにある。
【課題を解決するための手段】
【０００６】
本発明の目的は、後面板を上下に分割してそれぞれ上板と下板から延在するようにし、上部後面板からは仕切り板が延在するようにし、折り畳みによって仕切り板が収蔵室を上下に区画することによって、それぞれ上・下板に形成された取り出し口からティッシュを取り出せるようにしたティッシュケースによって達成される。
【発明の効果】
【０００７】
本発明のティッシュケースＡは、上・下収蔵室２４，２６によって多量のティッシュ(ティッシュペーパー)２８，３０を収蔵し、ティッシュの長期使用を可能にし、かつ、重量感によって使い勝手のよさを向上させることができる。なお、収蔵室２４，２６を上下に分離構成してそれぞれの取り出し口２ａ，４ａからティッシュを取り出せるようにし、その分、上・下収蔵室２４，２６の各底面から取り出し口までの高さを低くしたため、収蔵されたティッシュ２８，３０は使い切るまで途中で切れる現象なしに取り出して使用可能になり、非常に便利な使用が図られるという効果を奏する。
【発明を実施するための最良の形態】
【０００８】
以下、本発明の好適な実施例を、添付の図面を参照しつつ詳細に説明する。図面中、同一の構成要素には可能な限り同一の参照符号を付し、関連する公知技術や機能についての具体的な説明は、本発明の要旨が曖昧になるのを避けるために適宜省略するものとする。
【０００９】
図１は、実施例のティッシュケースを展開した斜視図であり、図２は、該ティッシュケースを展開した平面構成図である。本発明のティッシュケースは、直方体状に組み立てた際に、天板及び底板をなす上・下板２，４と、ティッシュケースの長手方向に沿った垂直壁をなす前・後面板６，８，１０と、ティッシュケース内部の空間を上下に仕切る仕切り板１２と、ティッシュケースの長手方向両端部の垂直壁をなすための側板１４，１６及び副側板１８，２０，２２とが、それぞれ折り畳み線を介在して互いに延在形成されるように単一の板紙で構成される。
【００１０】
上・下板２，４は、それぞれ、前面板６から折り畳み線を介して延在しており、上・下板２，４の左右の縁からは、折り畳み線を介して、矩形状の側板１４，１６が延在する。ティッシュケースの左右の端面にて、これら上下の側板１４，１６は、先端部が互いに重なるように延びており、この部分で、接着剤により貼りあわされる。接着剤は、上下の側板１４，１６のいずれかまたは両方に予め塗布しておくことができる。
【００１１】
一方、上・下板２，４の中央部にはそれぞれ取り出し口２ａ，４ａが形成されている。ここで、上・下板２，４に形成される取り出し口２ａ，４ａは、一般的なティッシュケースと同様に、切り取り線による切り取り部の切り取りによって開放するようにするか、または、あらかじめ取り出し口を穿設しておけばよく、その背面（組立時に内側に来る面）には中央線に沿って切開された樹脂シートを貼り付けておき、この樹脂シートの切開部にティッシュが挟み込まれて固定されるようにする。
【００１２】
他方、前面板６は、本発明ティッシュケースＡの高さを決定するもので、適正高さに形成され、また、左右の両縁からは折り畳み線を介在して矩形状の副側板１８が延在している。図示の例で、前面板６の幅（組立時の高さ）は、上・下板２，４の幅（組立時の前後方向寸法）に等しい。また、副側板１８の突出寸法は、これら幅の１／２よりも小さく、したがって、側板１４，１６の突出寸法よりも小さい。
【００１３】
後面板８，１０は、ティッシュケースＡの後方の垂直壁を上下に等分したもので、上部後面板８は、上板２から折り畳み線を介在して延在しており、下部後面板１０は、下板４から折り畳み線を介在して延在している。上下の後面板８，１０における左右の縁からは、それぞれ、副側板２０，２２が折り畳み線を介在して延在している。なお、副側板２０，２２の端部からは、上下に支え部２０ａ，２２ａが延在する。詳しくは、上部後面板８の左右の副側板２０における先端部（図示の例では根元部以外の箇所）の下端から直角台形状（根元側に斜辺）の支え部２０ａが延在され、これと上下に対称となるように、下部後面板１０の左右の副側板２２における先端部の上端から、直角台形状の支え部２２ａが延在される。また、上部後面板８の端部からは折り畳み線を介在して接着部８ａが延在する。
【００１４】
また、仕切り板１２は、上部後面板８から折り畳み線を介在して延在しており、仕切り板の端部からは接着部１２ａが折り畳み線を介在して延在している。
【００１５】
本発明のティッシュケースは、上・下板２，４、前・後面板６，８，１０及び仕切り板１２等がいずれも延在形成されているので、図１及び図２に示すように、1枚の板紙原紙から打ち抜き等により得られる単一の板紙で製作することができる。
【００１６】
図３乃至図５は、本発明の組立を段階別に示す図で、本発明は、組立順序に特別な限定はないが、好ましくは、まず、下板４から前面板６、下部後面板１０、仕切り板１２及び仕切り板１２が持つ接着部１２ａをそれぞれ折り畳み線に沿ってお互い直角をなすようにして折り畳んだ後、接着部１２ａを介して仕切り板１２を前面板６の背面中央部に接着固定することによって下部収蔵室２６を形成する。
【００１７】
下部収蔵室２６の形成後には、前面板６から上板２、上部後面板８及びこの上部後面板８が持つ接着部８ａをそれぞれ折り畳み線に沿ってお互い直角をなすようにして折り畳む。そして、この後、接着部８ａを仕切り板１２に接着固定することによって、下部収蔵室２６の上部に独立した上部収蔵室２４を形成する。
【００１８】
ここで、上部後面板８が持つ接着部８ａは、必ずしも仕切り板１２に接着しなくても良く、下部後面板１０の端部に接着固定しても良い。
【００１９】
上・下収蔵室２４，２６の形成後には、前・後面板６，８，１０が持つ副側板１８，２０，２２を折り畳み線に沿って内側に直角に折り畳み、続いて、上・下板２，４が持つ側板１４，１６を折り畳み線に沿って直角に折り畳み、側板１４，１６間の重畳部位を介して接着固定することによって、完成した形態のティッシュケースＡが得られる。
【００２０】
ただし、このような組立過程において、上下収蔵室２４，２６内にはティッシュ２８，３０が収納される。また、後面板８，１０が持つ副側板２０，２２はそれぞれ、その支え部２０ａ，２２ａを介して仕切り板１２と接触するので、副側板としての機能を発揮し、ティッシュケースＡに充分な強度を持たせる。なお、支え部２０ａ，２２ａを適宜に折り曲げまたは湾曲させることで、仕切り板１２を上下から挟み込んで支持することができる。
【００２１】
本発明は、説明の便宜のために収蔵室２４，２６を上下に区別しているが、上下区別なしに選択的に使用すればいい。使用に当っては、まず、上部板２が持つ切り取り部を切り取って取り出し口２ａを開いた後、上部収蔵室２４に収納されたティッシュ２８を取り出して使用すればよい。
【００２２】
また、本発明のティッシュケースＡは、たとえ全体高さは高くても、上部収蔵室２４の高さは、全体高さの半分くらいで、仕切り板１２から取り出し口２ａまでの高さが低い。そのため、上部収蔵室２４内に収蔵されているティッシュ２８を全部使用するまでティッシュが互いに連続して取り出されるので、ポップアップのためのティッシュの連鎖が途中で切れる現象なしに、便利に使用することができる。
【００２３】
なお、上部収蔵室２４内に収蔵されたティッシュ２８を使い切ると、ケースＡをひっくり返して下部収蔵室２６が上部にくるようにし、下板４に形成された切り取り部を切り取った後、取り出し口４ａを通して下部収蔵室２６内に収蔵されたティッシュ３０を取り出して使用すれば良い。この場合にも同様に、仕切り板１２から取り出し口４ａまでの高さは、ケースＡの全体高さの半分くらいで、収蔵されたティッシュ３０が使いきれるまで連続して取り出されるので、ティッシュの取り出しが途中で切れることがなく、極めて便利な使用が可能になる。
【図面の簡単な説明】
【００２４】
【図１】実施例のティッシュケースを展開した斜視図である。
【図２】図１のティッシュケースを展開した平面構成図である。
【図３】図１のティッシュケースの１次折り畳み時の斜視図である。
【図４】図１のティッシュケースの２次折り畳み時の斜視図である。
【図５】図１のティッシュケースの組立完成時の斜視図である。
【図６】図１のティッシュケースの断面構成図である。
【符号の説明】
【００２５】
Ａ    ティッシュケース    ２    上板            ２ａ  取り出し口  
４    下板                ４ａ  取り出し口      ６    前面板  
８，１０    後面板        ８ａ  接着部          １２  仕切り板  
１２ａ  接着部            １４，１６    側板    １８，２０，２２  副側板  
２０ａ，２２ａ  支え部    ２４，２６    収蔵室    ２８，３０  ティッシュ  
【図１】
2009255945.tif 000003
【図２】
2009255945.tif 000004
【図３】
2009255945.tif 000005
【図４】
2009255945.tif 000006
【図５】
2009255945.tif 000007
【図６】
2009255945.tif 000008